(57)【特許請求の範囲】
【請求項１】
撮像した被写体像に応じた複数の色信号を含む映像信号を出力する撮像素子と、該撮像素子よりも後段に配された、ホワイトバランスを調整するホワイトバランス調整装置との間に配される、
前記ホワイトバランス調整装置で前記複数の色信号に乗じられるゲインに係る情報に応じて色補正係数を算出する色補正係数算出部と、
この色補正係数算出部により演算された色補正係数を用い、前記撮像素子から入力された複数の色信号を補正演算して前記ホワイトバランス調整装置に出力する色信号補正処理部と、を含んでなることを特徴とする色補正装置。
【請求項２】
前記色信号補正処理部は前記撮像素子からＲＧＢ信号が入力され、前記色補正係数算出部は、前記ホワイトバランス調整装置において、前記ＲＧＢ信号に乗じられるゲイン値ｗｒ，ｗｇ，ｗｂ，の値に応じて可変となる３×３の行列により表わされる色補正係数を算出することを特徴とする請求項１に記載の色補正装置。
【請求項３】
前記色補正係数算出部は、前記撮像素子から得られる各色信号の白領域または全体の平均値に基づき、前記ホワイトバランス調整装置において各色に乗じられるゲイン値を推定して前記色補正係数を算出することを特徴とする請求項１または２に記載の色補正装置。
【請求項４】
前記撮像素子からの複数のＲＧＢ信号に対し前記ゲイン値ｗｒ，ｗｇ，ｗｂ，を乗じる前記ホワイトバランスの調整がなされた後に、下記色補正係数行列（ｉ）に基づき最適な色再現特性が得られる場合において、前記色補正係数を下記色補正係数行列（ii）とし、この色補正係数行列（ii）を乗じた後の前記ホワイトバランス調整装置におけるゲイン値をｗ’ｒ，ｗ’ｇ，ｗ’ｂとしたとき、前記色補正係数算出部において、下記条件式（iii）を満足するような色補正係数行列を算出することを特徴とする請求項２または３に記載の色補正装置。
【数１】
0005782324.tif 000014
【請求項５】
前記色補正係数算出部が、下式（iv）を満たすような色補正係数行列を算出することを特徴とする請求項４に記載の色補正装置。
【数２】
0005782324.tif 000015
【請求項６】
前記色補正係数算出部が、下式（ｖ）を満たすような色補正係数行列を算出することを特徴とする請求項４に記載の色補正装置。
【数３】
0005782324.tif 000016
【請求項７】
前記色補正係数算出部が、下式（vi）を満たすような色補正係数行列を算出することを特徴とする請求項４に記載の色補正装置。
【数４】
0005782324.tif 000017
【請求項８】
撮像された被写体像に応じた複数の色信号を含む映像信号を入力され、
ホワイトバランスの調整処理を行う際における、前記複数の色信号に乗じられるゲインに係る情報に応じて、色補正係数を算出し、
この算出された色補正係数を用い、前記複数の色信号を補正演算して前記ホワイトバランス調整処理を行う際における複数の色信号に係る情報信号として出力することを特徴とする色補正処理方法。
【発明の詳細な説明】
【技術分野】
【０００１】
本発明は、色補正装置および色補正処理方法に関し、特に、リニアマトリックス補正回路を用いて色補正を行うカラーカメラ用の色補正装置および色補正処理方法に関するものである。
【背景技術】
【０００２】
一般的なカラーカメラでは、カメラの色分解光学系による色再現特性が理想撮像特性、あるいは実用的な色再現特性と異なるため、リニアマトリックス補正回路を用いて色補正を行っている。
【０００３】
リニアマトリックス回路は、原理的には、入力された(R,G,B)信号に対して、以下の式に基づいた演算を行う。
【０００４】
【数１】
0005782324.tif 000002
【０００５】
上記条件式（１）において、a〜iはリニアマトリックスの係数である。ただし、リニアマトリックスを用いて色補正処理を行うことにより、その前後において既に調整されたホワイトバランスを崩さないようにするために、下記前提条件を満たす必要がある。
ａ+ｂ+ｃ=１、ｄ+ｅ+ｆ=１、ｇ+ｈ+ｉ=１
【０００６】
これら前提条件式を適用して、上記条件式（１）を下記条件式（２）に変換することにより、乗算器の数を9個から6個に減じることができるので、リニアマトリックスの信号処理プロセスでは、実際には、下記条件式（２）の形式による処理が行われる。
【０００７】
【数２】
0005782324.tif 000003
【０００８】
さらに、例えば下記特許文献１記載の技術のように、上記条件式（２）における係数b,c,d,f,g,hを彩度に応じて変化させることで、無彩色に近い画像に不自然な色が付くことを防止するなど、係数を絵柄に応じて適応的に変化させる試みもなされている。
【０００９】
リニアマトリックス回路では、マトリックス処理の前後でホワイトバランスが同等となるように維持する必要性から、ホワイトバランス調整がなされた後で、かつ非線形な信号処理プロセスが始まる前に、色補正処理を行うことが一般的とされている。
【００１０】
そこで、通常のカメラシステムにおける映像信号処理系では、リニアマトリックス回路は、図７に示すように、オフセット・ゲイン調整部４３１の後段で、かつフレア・ニー・ガンマ補正等の非線形信号処理を行うフレア・ニー・ガンマ補正部の前段におかれている。
【先行技術文献】
【特許文献】
【００１１】
【特許文献１】特開２０１０−１７１８４４号公報
【発明の概要】
【発明が解決しようとする課題】
【００１２】
最適なリニアマトリックスの係数は、カメラの分光感度特性によって異なる値をとる。したがって、カメラコントロールユニット（以下、ＣＣＵと称する）で映像信号処理を行うカメラシステムでは、カメラヘッドとＣＣＵは定められた組み合わせでしか使用できないことが一般的であり、本来と異なるカメラヘッドをＣＣＵに接続する場合は、通常、前記カメラヘッドに対応したリニアマトリックス回路をオフセット・ゲイン調整部の後段に追加するか、既存のリニアマトリックス回路の色補正係数を変更して、接続する新たなカメラヘッドに適応させる必要がある。しかし、通常、既存のＣＣＵにリニアマトリックス回路用のハードウェアを新たに追加することは困難であり、既存のリニアマトリックス回路の色補正係数を必ずしも自由に設定できるとは限らないため、未対応のカメラヘッドを接続した場合の色再現特性は劣化してしまう。
【００１３】
上述した特許文献１に記載された手法を用いた場合には、画像の彩度に応じてマトリックスの係数を補正することはできるものの、本来のものとは分光特性が異なるカメラを接続することは考慮されていないため、基準となる係数は特定のカメラのみにしか対応することができない。
【００１４】
このように、使用可能なカメラヘッドが限定されたＣＣＵに、本来とは異なるカメラヘッドを接続した場合、カメラヘッド側で予め適当なマトリックス処理を施してＣＣＵへ入力する必要がある。
【００１５】
適用可能な手法として最も簡単なものは、ＣＣＵに未対応なカメラヘッドの分光特性を、ＣＣＵに対応したカメラヘッドの分光特性に近づけるようなマトリックスを乗じた上でＣＣＵへ入力することである。しかし、分光特性の異なるカメラ同士の色再現特性をマトリックスを変更することのみによって一致させることは困難であり、十分に近い分光特性が得られない場合は、やはり色再現特性は劣化してしまう。
【００１６】
また、仮に、そのようなマトリックスの補正をホワイトバランスの前段で処理したとしても、本来無彩色の部分の映像は明るさに応じて着色されてしまう。
【００１７】
本発明はこのような事情に鑑みなされたものであり、ＣＣＵに未対応のカメラヘッドを接続した場合にも、ホワイトバランスおよび色再現特性を良好なものとし得る色補正装置および色補正処理方法を提供することを目的とする。
【課題を解決するための手段】
【００１８】
上記課題を解決するため、本発明に係る色補正装置は、
撮像した被写体像に応じた複数の色信号を含む映像信号を出力する撮像素子と、該撮像素子の後段に配された、ホワイトバランスを調整するホワイトバランス調整装置との間に配される、
前記ホワイトバランス調整装置で前記複数の色信号に乗じられるゲインの値に応じて色補正係数を算出する色補正係数算出部と、
この色補正係数算出部により演算された色補正係数を用い、前記撮像素子から入力された複数の色信号を補正演算して前記ホワイトバランス調整装置に出力する色信号補正処理部と、を含んでなることを特徴とするものである。
【００１９】
また、前記色信号補正処理部は前記撮像素子からＲＧＢ信号が入力され、前記色補正係数算出部は、前記ホワイトバランス調整装置において、前記ＲＧＢ信号に乗じられるゲイン値ｗｒ，ｗｇ，ｗｂ，の値に応じて可変となる３×３の行列により表わされる色補正係数を算出するものとすることができる。
【００２０】
また、前記色補正係数算出部は、前記撮像素子から得られる各色信号の白領域または全体の平均値に基づき、前記ホワイトバランス調整装置において各色に乗じられるゲイン値を推定して前記色補正係数を算出することができる。
【００２１】
また、前記撮像素子からの複数のＲＧＢ信号に対し前記ゲイン値ｗｒ，ｗｇ，ｗｂ，を乗じる前記ホワイトバランスの調整がなされた後に、下記色補正係数行列（ｉ）に基づき最適な色再現特性が得られる場合において、前記色補正係数を下記色補正係数行列（ii）とし、この色補正係数行列（ii）を乗じた後の前記ホワイトバランス調整装置におけるゲイン値をｗ’ｒ，ｗ’ｇ，ｗ’ｂとしたとき、前記色補正係数算出部において、下記条件式（iii）を満足するような色補正係数行列を算出することが好ましい。
【００２２】
【数３】
0005782324.tif 000004
【００２３】
また、前記色補正係数算出部が、下記条件式（iv）を満たすような色補正係数行列を算出することが好ましい。
【００２４】
【数４】
0005782324.tif 000005
【００２５】
また、前記色補正係数算出部が、下記条件式（ｖ）を満たすような色補正係数行列を算出することも好ましい。
【００２６】
【数５】
0005782324.tif 000006
【００２７】
また、前記色補正係数算出部が、下記条件式（vi）を満たすような色補正係数行列を算出することも好ましい。
【００２８】
【数６】
0005782324.tif 000007
【００２９】
さらに、本発明に係る色補正処理方法は、撮像された被写体像に応じた複数の色信号を含む映像信号を入力され、
ホワイトバランスの調整処理を行う際における、前記複数の色信号に乗じられるゲインに係る情報に応じて、色補正係数を算出し、
この算出された色補正係数を用い、前記複数の色信号を補正演算して前記ホワイトバランスの調整処理を行う際における複数の色信号に係る情報信号を出力することを特徴とするものである。
【００３０】
ここで、上記「ホワイトバランスの調整処理を行う際における複数の色信号に係る情報信号」とは、「ホワイトバランスの調整処理を行う際における複数の色信号」そのもののみならず、この後、何らかの信号変換処理を加えられることによって「ホワイトバランスの調整処理を行う際における複数の色信号」とされるものも含むものとする。
【発明の効果】
【００３１】
本発明の色補正装置および色補正処理方法によれば、ホワイトバランス調整部よりも前段に色補正回路部を設ける場合に、この色補正回路部が実用的な色補正処理を行うことが可能となるようにしており、ホワイトバランス調整部が配される既存のＣＣＵ（カメラコントロールユニット）に対し、そのＣＣＵ専用でないカメラヘッドを接続する場合であっても、このカメラヘッドからの出力がそのＣＣＵに適合するよう、該カメラヘッドからの出力が色補正回路部において、ホワイトバランス調整で色信号に乗じられるゲインに応じ、適切な色補正処理を受けられるようにしている。これにより、ＣＣＵには、あたかも専用のカメラヘッドからの出力が入力されたと同等の状態とすることもでき、ホワイトバランスおよび色再現特性を良好なものとすることが可能である。
【図面の簡単な説明】
【００３２】
【図１】本発明の実施形態に係る色補正装置を表わす概念図である。
【図２】本発明の実施例１に係る色補正装置を示すブロック図である。
【図３】本発明の実施例２に係る色補正装置を示すブロック図である。
【図４】本発明の実施例３に係る色補正装置を示すブロック図である。
【図５】リニアマトリクス係数算出部を示すブロック図である。
【図６】ベイヤーカラーフィルタ配列を示す図である。
【図７】従来技術に係るカメラシステムの映像処理系を示すブロック図である。
【図８】従来技術に係る色補正装置を表わす概念図である。
【発明を実施するための形態】
【００３３】
以下、本発明の実施形態について、上記図面を参照しながら詳細に説明する。
【００３４】
まず、本発明の実施形態に係る色補正装置および色補正処理方法の概念を図１および図８を用いて説明する。
【００３５】
図１に示すように、この色補正装置（リニアマトリックス色補正回路）２０は、カメラヘッド（例えば、新しく取り替えられたもの）１２とＣＣＵ（既存のもの）１３との間に配されてなる。これは、図８に示す従来技術（ＣＣＵ５１３内の回路部が取換自由であれば最良な形態）のように、新しく取り替えられたカメラヘッドに対応する色補正装置（リニアマトリックス色補正回路）５１０がＣＣＵ５１３内のホワイトバランス調整部５１４の後段に配されているものとは異なっている。
【００３６】
なお、以下に説明する実施形態（実施例）については、ＣＣＵ（既存のもの）１３内に配される既存のプロセス回路１５中に、このＣＣＵ１３と組み合わされていた元のカメラヘッド１２用のリニアマトリックス色補正回路を含んでいる態様と、含んでいない態様のいずれについても対応し得るシステムであることを前提としている。
【００３７】
なお、本実施形態および従来技術のいずれにおいても、カメラヘッド１２、５１２の前段には、撮像レンズ１１、５１１が配されており、カメラヘッド１２、５１２内には三原色光Ｒ、Ｇ、Ｂの各々に対応する撮像素子１２Ｒ,Ｇ,Ｂ、５１２Ｒ,Ｇ,Ｂが設けられており、さらに、ＣＣＵ１３、５１３の最終段には既存のプロセス回路１５、５１５が設けられている。
【００３８】
ＣＣＵ１３の前段の色補正装置２０で、最適となる色再現特性を得るためには、図８に示す従来技術のように、ホワイトバランス調整後に、上述した式（１）に表わされる係数によって色補正した場合と、図1に示す実施形態のように、色補正装置２０による色補正後に、ホワイトバランスを調整した場合とで、互いに等価な計算結果が得られるように、色補正装置２０のリニアマトリックス回路の補正係数を定めればよい。
【００３９】
すなわち、カメラヘッドの撮像素子の色信号出力をＲ、Ｇ、Ｂとし、色補正処理後の信号をＲ’，Ｇ’，Ｂ’とすると、下記条件式（３）と下記条件式（４）の演算結果が等しくなるようなホワイトバランスのゲイン（ｗ’r，ｗ’ｇ，ｗ’ｂ）及びリニアマトリックスの行列係数a’〜i’を求めればよい。
【００４０】
【数７】
0005782324.tif 000008
【００４１】
したがって、上記条件式（３）、（４）より、下記条件式（５）の関係を満たすように各係数および各ゲインの値を定める。
【００４２】
【数８】
0005782324.tif 000009
【００４３】
上記条件式（３）における係数a〜iおよびホワイトバランスのゲインｗr，ｗｇ，ｗｂは、ある一定の照明条件下で定まった値となる。
【００４４】
ここで、上記条件式（３）におけるホワイトバランスのゲインは、一定の照明条件下で一定の反射率を持つ白い被写体（例えば色温度３２００K,照度２０００luxの照明条件下で反射率８９％の白い被写体）を図８のカメラヘッドで撮影した場合に、カメラヘッドの出力信号Ｒ、Ｇ、Ｂのそれぞれの値にホワイトバランスのゲインｗr，ｗｇ，ｗｂをそれぞれ乗じた後の値が全て一定の値（例えば１０２４諧調で９４０）となるようにｗr，ｗｇ，ｗｂの値を算出することにより求めることができる。
【００４５】
また、係数a〜iについては、ホワイトバランスのゲインを（ｗr，ｗｇ，ｗｂ）に設定した上で、カラーチャート（例えば、米国・XRITE社の２４色カラーチェッカー）の各々を、図８に示すカメラシステムによって撮像した場合に、Ｒ’、Ｇ’、Ｂ’の値と、目標とする値（例えば理想撮像特性における各カラーチャートの各々のＲ、Ｇ、Ｂの値）との色差の平均値が最小となるような係数a〜iを、所定の演算式を用いて算出することにより求めることができる。
【００４６】
したがって、後述する式（６）は１２の未知数に対して、式が９つとなる。すなわち、未知数のうち３つまでは設計時に自由に定めることができ、ＣＣＵ１３におけるホワイトバランスのゲインの値が分かれば、最適なマトリックスの係数を決定できる。
【００４７】
次に、カメラヘッド１１２に内蔵された態様の色補正装置１２０の装置構成を図２に示す。
【００４８】
撮像レンズ１１１を介してカメラヘッド１１２に入射した被写体像は、色分解プリズムを介してＲＧＢ用のモノクロ撮像素子１１２Ｒ、Ｇ、Ｂにて各色光毎に撮像され、色信号Ｒ_i，Ｇ_i，Ｂ_iとして色補正装置１２０に入力される。色補正装置１２０は、リニアマトリックス色補正回路１１０およびリニアマトリックス係数算出部１１４を備えてなり、色補正装置１２０からの各色補正信号Ｒ_lm，Ｇ_lm，Ｂ_lmは，カメラヘッド１１２から出力されてＣＣＵ１１３に入力される。
【００４９】
ＣＣＵ１１３からのホワイトバランスのゲイン値は、リニアマトリックス係数算出部１１４に入力され、このリニアマトリックス係数算出部１１４においてマトリックス係数（色補正係数）が算出され、リニアマトリックス色補正回路１１０に出力される。リニアマトリックス色補正回路１１０においては、送信されたマトリックス係数（色補正係数）に基づいて上述した色信号Ｒ_i，Ｇ_i，Ｂ_iに、色補正処理を加える。
【００５０】
マトリックス係数a〜iが既知である場合、ＣＣＵ１１３からホワイトバランスのゲイン値を取得することでカメラヘッド１１２における色補正回路１１０の最適なマトリックス係数a'〜i'を求めることができることになる。また、ホワイトバランスのゲイン値をフィードバックさせるような構成をとることにより、装置の自動化も可能となる。
【００５１】
ただ、上記図２に示す色補正装置１２０は、実際にはホワイトバランスのゲイン値をＣＣＵ１１３から取得する経路を確保することが難しいので、図３に示すように、複数のホワイトバランスのゲイン条件をルックアップテーブル（ＬＵＴ）２１５に格納しておき、照明条件等に応じて作成されたＬＵＴ中のいずれかのテーブルを選択して係数を設定することが現実的である。ただし、この場合、要求される照明条件に適したＬＵＴが設定されていないと色再現性が低下してしまう可能性があることに留意する必要がある。
【００５２】
すなわち、この図３に示す色補正装置２２０も、カメラヘッド２１２に内蔵された態様の装置構成とされており、撮像レンズ２１１を介してカメラヘッド２１２に入射した被写体像は、ＲＧＢ用の撮像素子２１２Ｒ、Ｇ、Ｂにて各色光毎に撮像され、色信号Ｒ_i，Ｇ_i，Ｂ_iとして色補正装置２２０に入力される。色補正装置２２０は、リニアマトリックス色補正回路２１０、リニアマトリックス係数算出部２１４およびルックアップテーブル（ＬＵＴ）２１５を備えてなり、色補正装置２２０からの各色補正信号Ｒ_lm，Ｇ_lm，Ｂ_lmは，カメラヘッド２１２から出力されてＣＣＵ２１３に入力される。ルックアップテーブル（ＬＵＴ）２１５に格納されたいずれかの、ホワイトバランスのゲイン値が、自動または手動により選択されると、その選択されたゲイン値はリニアマトリックス係数算出部２１４に出力される。リニアマトリックス係数算出部２１４が、このゲイン値を取得することでカメラヘッド２１２における色補正回路の最適なマトリックス係数a'〜i'を算出し、リニアマトリックス色補正回路２１０に出力することは図２の色補正装置１２０と同じである。
【００５３】
さらに、図４に示すように、撮像素子３１２Ｒ、Ｇ、Ｂの信号出力におけるＲＧＢ各信号の値を直接利用し、ＲＧＢ各信号の値の比を求め、これに基づき、ホワイトバランスのゲイン値をカメラヘッド３１２内で推定することも可能である。ＲＧＢ各信号の値の比は、後述するようにリニアマトリックス係数算出部３１４で求めることが一般的であるが、その前段にＲＧＢ各信号の値の比を求める、専用のＲＧＢ信号比算出手段を設けてもよい。
【００５４】
具体的に説明すると、この図４に示す色補正装置３２０も、カメラヘッド３１２に内蔵された態様の装置構成とされており、撮像レンズ３１１を介してカメラヘッド３１２に入射した被写体像は、ＲＧＢ用の撮像素子３１２Ｒ、Ｇ、Ｂにて各色光毎に撮像され、色信号Ｒ_i，Ｇ_i，Ｂ_iとして色補正装置３２０に入力される。色補正装置３２０は、リニアマトリックス色補正回路３１０およびリニアマトリックス係数算出部３１４を備えてなり、上記色信号Ｒ_i，Ｇ_i，Ｂ_iは、リニアマトリックス色補正回路３１０およびリニアマトリックス係数算出部３１４の両者に入力される。リニアマトリックス係数算出部３１４で求められた、ＲＧＢ各信号の値の比に基づき、ホワイトバランスのゲイン値を推定する。
【００５５】
このホワイトバランスのゲイン値の推定処理について、図５を用いて説明する。このリニアマトリックス係数算出部３１４では、入力された色信号Ｒ_i，Ｇ_i，Ｂ_iに対し、まず白領域選択部３２１において画像の中の白領域を選択し、白領域選択部３２１から出力された色信号Ｒ’，Ｇ’，Ｂ’に対し、平均値演算部３２２において、その白領域内の各色信号の平均値を演算し、色信号平均値Rmean、Gmean、Bmeanを得る。次に、除算手段３２３Ｒ，３２３Ｇ，３２３Ｂにおいて、それぞれの色信号の基準値Rref、Gref、Brefを対応する色信号平均値Rmean、Gmean、Bmeanにより除算することで、ホワイトバランスの推定ゲイン値Ｗｒ、Ｗｇ、Ｗｂを得る。この推定ゲイン値Ｗｒ、Ｗｇ、Ｗｂと、理想マトリックス係数部３２５からの理想的なマトリックス係数a〜iとが、係数算出部３２４に入力され、演算されて、マトリックス係数a'〜i'が算出され、リニアマトリックス係数算出部３１４から出力される。
【００５６】
なお、リニアマトリックス係数算出部３１４が、このゲイン値からカメラヘッド３１２における色補正回路３１０の最適なマトリックス係数a'〜i'を算出し、リニアマトリックス色補正回路３１０に出力することは図２の色補正装置１２０と同じである。また、この図４に示す色補正装置３２０においても、上記図２に示す色補正装置１２０と同様に、装置の自動化を可能とすることができる。
【００５７】
上述した色補正装置１２０、２２０、３２０は、カメラヘッド１１２、２１２、３１２の内部に配されているが、本発明の色補正装置としては必ずしもカメラヘッド内に配されている必要はなく、カメラヘッドとは独立した装置としてカメラヘッドとＣＣＵ間に設けるようにしてもよい。
【００５８】
また、上述した色補正装置１２０、２２０、３２０では、撮像素子（１１２Ｒ、Ｇ、Ｂ等）からの色信号としてＲＧＢ信号を用いているが、色信号としてはこれに限られるものではなく、例えばＣＭＹ信号（シアン、マゼンタおよびイエローの各色信号）を用いることも可能である。
【００５９】
また、上述した色補正装置１２０、２２０、３２０では、色信号を取得するために色分解プリズムと３枚のモノクロ撮像素子（３板式）を用いているが、この３板式に、さらに、例えば緑色用のモノクロ撮像素子を加えた、いわゆる４板式を採用してもよいし、色信号を取得するために画素上にカラーフィルタが形成された１枚のカラー撮像素子（単板式）を用いて色信号を取得してもよい。
【００６０】
以下、リニアマトリックス係数算出部１１４、２１４、３１４における上記リニアマトリックスの係数の決定方法を具体的に説明する。すなわち、上記条件式（５）において、３つの未知数を任意に設定できるので、その各設定パターンを下記４つの実施例によって説明する。
【実施例１】
【００６１】
上記条件式（５）において、対角の成分であるa’，e’，i’について、a’=a，e’＝e，i’＝iとおくと、最適なマトリックス係数は、下記条件式（６）で表わされるものとなり、この係数を適用したときのホワイトバランスのゲイン値は下記条件式（７）で表される。
【００６２】
【数９】
0005782324.tif 000010
【００６３】
本実施例の場合、上記条件式（７）に示すようにホワイトバランスのゲイン値がリニアマトリックス補正処理の前後で等しくなる。そのため、ＣＣＵ１１３、２１３、３１３において、ホワイトバランスを調整するために必要なゲインの値が調整範囲外となる虞を低くすることができる。
【実施例２】
【００６４】
上記条件式（５）において、対角の成分であるa’，e’，i’について、a’＝１，e’＝１，i’＝１とおくと、最適なマトリックス係数は、下記条件式（８）となり、この時のホワイトバランスのゲイン値は下記条件式（９）で表される。
【００６５】
【数１０】
0005782324.tif 000011
【００６６】
本実施例の場合、マトリックス係数のうち３つの値が１になるので、乗算器の必要数を９から６に減らすことができ、カメラヘッド１１２、２１２、３１２側で乗算器を多用できない場合に有効である。ただし、ホワイトバランスのゲイン調整値が過大となる可能性があるため、ＣＣＵ１１３、２１３、３１３側でのホワイトバランスを調整可能な範囲を超えてしまう虞がある点に注意する必要がある。
【実施例３】
【００６７】
上記条件式（５）において、ホワイトバランスのゲインｗ’r，ｗ’ｇ，ｗ’ｂについて、w’r＝w’g＝w’b＝１とおくと、最適なマトリックス係数は、下記条件式（１０）で表される。
【００６８】
【数１１】
0005782324.tif 000012
【００６９】
本実施例の場合、マトリックス係数によりホワイトバランスまで調整できる、という利点がある。ただし、係数算出も含めて多くの乗算器を必要とする。
【実施例４】
【００７０】
オンチップカラーフィルタを搭載した単板カメラや４板画素ずらし方式を用いたカメラ等の、後段で画素補間処理が必要となるカメラの場合、その画素補間処理において隣接する画素を利用してマトリックスを乗じると、解像度やＳ／Ｎが劣化する虞がある。
【００７１】
図６に示すような、一般的なベイヤー配列のカラーフィルタを例とした場合、Ｇ（緑色）は視感度が高く、解像度やＳ／Ｎを決定する上で、最も重要な色である。そこで、Ｇ信号に対しては色補正処理をすることなく、Ｒ，Ｂに対してのみ色補正処理を行う場合を例とする。
【００７２】
その場合、補正係数の一部を、d=0、e=1、f=0とおけばよいので、例えばa’＝a，e’＝e，i’＝iとすると、その時の最適なマトリックス係数は、下記条件式（１１）となる。
【００７３】
【数１２】
0005782324.tif 000013
【００７４】
本実施例の場合、Ｇ信号の補正が十分ではない分、上述した実施例１〜３と比較して色再現の点で不利であるものの、解像度やＳ／ＮはＧ信号をそのまま出力することで良好に維持することができる。したがって、単板撮像方式などのカメラヘッドを接続する場合には有効な例である。
【符号の説明】
【００７５】
１０、１１０、２１０、３１０、４１０      リニアマトリックス色補正回路
１１、１１１、２１１、３１１、５１１      レンズ
１２，１１２、２１２、３１２、５１２      カメラヘッド
１２Ｒ，１２Ｇ，１２Ｂ、１１２Ｒ，１１２Ｇ，１１２Ｂ、２１２Ｒ，２１２Ｇ，２１２Ｂ、３１２Ｒ，３１２Ｇ，３１２Ｂ、５１２Ｒ，５１２Ｇ，５１２Ｂ      撮像素子
１３、１１３、２１３、３１３、５１３      ＣＣＵ（カメラコントロールユニット）
１４、５１４      ホワイトバランス調整部
１５、５１５      既存のプロセス回路
２０、１２０、２２０、３２０      色補正装置
１１４、２１４、３１４      リニアマトリックス係数算出部
２１５      ルックアップテーブル（ＬＵＴ）
３２１      白領域選択部
３２２      平均値選択部
３２３Ｒ、Ｇ、Ｂ      除算手段
３２４      係数算出部
３２５      理想マトリックス係数記憶部
４３１      オフセット/ゲイン調整部
４３２      フレア/ニー/ガンマ補正部
ａ〜ｉ，ａ’〜ｉ’      マトリックス係数
ｗｒ，ｗｇ，ｗｂ，ｗ’ｒ，ｗ’ｇ，ｗ’ｂ      ホワイトバランスゲイン値
【図１】
0005782324.tif 000018
【図２】
0005782324.tif 000019
【図３】
0005782324.tif 000020
【図４】
0005782324.tif 000021
【図５】
0005782324.tif 000022
【図６】
0005782324.tif 000023
【図７】
0005782324.tif 000024
【図８】
0005782324.tif 000025